(57)【特許請求の範囲】
【請求項１】
作成された印刷データを印刷装置に送出して印刷させる印刷制御装置であって、
全面印刷の設定を含む指定された印刷設定を記憶する設定手段と、
前記設定手段により全面印刷が設定された場合、前記印刷データに含まれる各ページサイズを、前記印刷装置により印刷される媒体のサイズに一致するよう変倍する変倍手段と、
前記変倍手段により変倍された印刷データを、前記印刷装置に送出する手段と
を有し、
前記印刷設定は、全面印刷が設定されていた場合に、前記印刷データのページサイズの縦横比の保存の有無の設定と、縦横比の保存が設定された場合に前記印刷データの縦横何れの辺を前記媒体に一致させるかを選択するための設定と、縦横比の保存が設定された場合に、前記媒体の４つの角部にそれぞれ対応する前記印刷データの４つの角部のいずれかを、変倍を施すための基準である基準点として選択するための設定とを更に含み、
全面印刷が設定され、かつ、縦横比の保存が設定され、かつ、前記印刷データの縦の辺を前記媒体に一致させる選択が行われた場合、前記印刷データのページサイズの縦の長さが前記媒体の縦の長さに一致する変倍率に基づいて、前記変倍手段は選択された前記基準点を基準として前記印刷データのページサイズを変倍し、
全面印刷が設定され、かつ、縦横比の保存が設定され、かつ、前記印刷データの横の辺を前記媒体に一致させる選択が行われた場合、前記印刷データのページサイズの横の長さが前記媒体の横の長さに一致する変倍率に基づいて、前記変倍手段は選択された前記基準点を基準として前記印刷データのページサイズを変倍し、
全面印刷が設定され、かつ、縦横比の保存が設定されていない場合には、前記印刷データのページサイズの縦と横の長さが前記媒体の縦と横のそれぞれの長さに一致する変倍率に基づいて、前記変倍手段は前記印刷データのページサイズを変倍することを特徴とする印刷制御装置。
【請求項２】
作成された印刷データを印刷装置に送出して印刷させる印刷制御方法であって、
全面印刷の設定を含む指定された印刷設定を記憶する設定工程と、
前記設定工程により全面印刷が設定された場合、前記印刷データに含まれる各ページサイズを、前記印刷装置により印刷される媒体のサイズに一致するよう変倍する変倍工程と、
前記変倍工程により変倍された印刷データを、前記印刷装置に送出する工程とを有し、
前記印刷設定は、全面印刷が設定されていた場合に、前記印刷データのページサイズの縦横比の保存の有無の設定と、縦横比の保存が設定された場合に前記印刷データの縦横何れの辺を前記媒体に一致させるかを選択するための設定と、縦横比の保存が設定された場合に、前記媒体の４つの角部にそれぞれ対応する前記印刷データの４つの角部のいずれかを、変倍を施すための基準である基準点として選択するための設定とを更に含み、
全面印刷が設定され、かつ、縦横比の保存が設定され、かつ、前記印刷データの縦の辺を前記媒体に一致させる選択が行われた場合、前記印刷データのページサイズの縦の長さが前記媒体の縦の長さに一致する変倍率に基づいて、前記変倍手段は選択された前記基準点を基準として前記印刷データのページサイズを変倍し、
全面印刷が設定され、かつ、縦横比の保存が設定され、かつ、前記印刷データの横の辺を前記媒体に一致させる選択が行われた場合、前記印刷データのページサイズの横の長さが前記媒体の横の長さに一致する変倍率に基づいて、前記変倍手段は選択された前記基準点を基準として前記印刷データのページサイズを変倍し、
全面印刷が設定され、かつ、縦横比の保存が設定されていない場合には、前記印刷データのページサイズの縦と横の長さが前記媒体の縦と横のそれぞれの長さに一致する変倍率に基づいて、前記変倍手段は前記印刷データのページサイズを変倍することを特徴とする印刷制御方法。
【請求項３】
作成された印刷データを印刷装置に送出して印刷させるコンピュータを、
全面印刷の設定を含む指定された印刷設定を記憶する設定手段と、
前記設定手段により全面印刷が設定された場合、前記印刷データに含まれる各ページサイズを、前記印刷装置により印刷される媒体のサイズに一致するよう変倍する変倍手段と、
前記変倍手段により変倍された印刷データを、前記印刷装置に送出する手段と
して機能させるためのコンピュータプログラムを格納したコンピュータ可読の記憶媒体であって、
前記印刷設定は、全面印刷が設定されていた場合に、前記印刷データのページサイズの縦横比の保存の有無の設定と、縦横比の保存が設定された場合に前記印刷データの縦横何れの辺を前記媒体に一致させるかを選択するための設定と、縦横比の保存が設定された場合に、前記媒体の４つの角部にそれぞれ対応する前記印刷データの４つの角部のいずれかを、変倍を施すための基準である基準点として選択するための設定とを更に含み、
全面印刷が設定され、かつ、縦横比の保存が設定され、かつ、前記印刷データの縦の辺を前記媒体に一致させる選択が行われた場合、前記印刷データのページサイズの縦の長さが前記媒体の縦の長さに一致する変倍率に基づいて、前記変倍手段は選択された前記基準点を基準として前記印刷データのページサイズを変倍し、
全面印刷が設定され、かつ、縦横比の保存が設定され、かつ、前記印刷データの横の辺を前記媒体に一致させる選択が行われた場合、前記印刷データのページサイズの横の長さが前記媒体の横の長さに一致する変倍率に基づいて、前記変倍手段は選択された前記基準点を基準として前記印刷データのページサイズを変倍し、
全面印刷が設定され、かつ、縦横比の保存が設定されていない場合には、前記印刷データのページサイズの縦と横の長さが前記媒体の縦と横のそれぞれの長さに一致する変倍率に基づいて、前記変倍手段は前記印刷データのページサイズを変倍することを特徴とするコンピュータ可読の記憶媒体。
【発明の詳細な説明】
【０００１】
【発明の属する技術分野】
本発明は、例えば、印刷装置により記録媒体全面に余白を設けることなく印刷を行わせるコンピュータ端末等の印刷制御装置及び方法に関する。
【０００２】
【従来の技術】
一般に、コンピュータ端末等に接続された印刷装置により文書や画像などを印刷させる場合、コンピュータ端末で稼働するアプリケーションにより作成された文書あるいは画像などの印刷データは、オペレーティングシステムを介して呼び出される印刷装置の機種それぞれに対応したデバイスドライバ（プリンタドライバ）により、印刷装置が処理可能な形式のデータあるいはコマンドに変換されて印刷装置に送信される。それを受信した印刷装置が、受信したデータやコマンドを解釈・処理して印刷を実行する。通常、デバイスドライバにおける処理は、アプリケーションが作成した印刷データを変換するというもので、印刷画面のサイズや配置等は印刷データを作成するアプリケーションによって決定される。
【０００３】
【発明が解決しようとする課題】
このため、このような印刷システムにおいては、記録媒体の全面に画像を印刷させるためには、コンピュータ端末で稼働するアプリケーションが印刷装置のデバイスドライバから取得する用紙サイズなどの情報を基に、あるいはその情報を基に端末画面上に表示される画面を参照して、操作者が記録媒体の端部を意識して印刷データを作成しなければならない。そして、作成した印刷データを印刷装置により印刷させて初めて所望の印刷結果が得られたか否かを確認できた。
【０００４】
そのために、もし印刷する内容が記録媒体からはみ出ていたり、逆に記録媒体より小さくて余白が生じてしまった場合、すなわち記録媒体と印刷データのサイズが合わない場合など、所望の印刷結果が得られなかった場合には、操作者は再度印刷データを作りなおして印刷しなおさなければならなかった。
【０００５】
本発明は上記従来例に鑑みて成されたもので、記録媒体のサイズに応じて画像のサイズを所望サイズに変更し、そのサイズで印刷装置から印刷させることで、操作者が意図しない印刷結果となることを防止し、操作性を改善するとともに生産性を向上させる印刷制御装置及び方法を提供することを目的とする。
【０００６】
【課題を解決するための手段】
上記目的を達成するために、本発明は次のような構成からなる。
【０００７】
作成された印刷データを印刷装置に送出して印刷させる印刷制御装置であって、
全面印刷の設定を含む指定された印刷設定を記憶する設定手段と、
前記設定手段により全面印刷が設定された場合、前記印刷データに含まれる各ページサイズを、前記印刷装置により印刷される媒体のサイズに一致するよう変倍する変倍手段と、
前記変倍手段により変倍された印刷データを、前記印刷装置に送出する手段と
を有し、
前記印刷設定は、全面印刷が設定されていた場合に、前記印刷データのページサイズの縦横比の保存の有無の設定と、縦横比の保存が設定された場合に前記印刷データの縦横何れの辺を前記媒体に一致させるかを選択するための設定と、縦横比の保存が設定された場合に、前記媒体の４つの角部にそれぞれ対応する前記印刷データの４つの角部のいずれかを、変倍を施すための基準である基準点として選択するための設定とを更に含み、
全面印刷が設定され、かつ、縦横比の保存が設定され、かつ、前記印刷データの縦の辺を前記媒体に一致させる選択が行われた場合、前記印刷データのページサイズの縦の長さが、前記媒体の縦の長さに一致する変倍率に基づいて、前記変倍手段は選択された前記基準点を基準として前記印刷データのページサイズを変倍し、
全面印刷が設定され、かつ、縦横比の保存が設定され、かつ、前記印刷データの横の辺を前記媒体に一致させる選択が行われた場合、前記印刷データのページサイズの横の長さが、前記媒体の横の長さに一致する変倍率に基づいて、前記変倍手段は選択された前記基準点を基準として前記印刷データのページサイズを変倍し、
全面印刷が設定され、かつ、縦横比の保存が設定されていない場合には、前記印刷データのページサイズの縦と横の長さが前記媒体の縦と横のそれぞれの長さに一致する変倍率に基づいて、前記変倍手段は前記印刷データのページサイズを変倍することを特徴とする。
【０００９】
更に好ましくは、前記印刷設定は、ページサイズの縦横比の保存が設定されている場合に、基準とする辺の設定を更に含み、ページサイズの基準辺の長さを、前記媒体の基準辺の長さに一致させる率で、前記変倍手段はページサイズを変倍する。
【００１１】
【発明の実施の形態】
本発明の実施形態である印刷システムを図面を用いて説明する。図１は本発明が適用可能な印刷システムの概略図である。
【００１２】
＜印刷システムの構成＞
図１において、コンピュータ端末１０１は印刷装置１０２用のデバイスドライバ（プリンタドライバ）１０４を有しており、ケーブル１０３により、本システムで使用する印刷装置１０２としてのカラーカードプリンターが接続されている。尚、印刷装置１０２は記録媒体である名刺又はハガキの印刷が可能である。
【００１３】
図５は、図１に示す印刷システムのハードウエア構成を示すブロック図である。図５において、ホストコンピュータ１０１は、ＲＯＭ３のプログラム用ＲＯＭに記憶された文書処理プログラム等に基づいて図形、イメージ、文字、表（表計算等を含む）等が混在した文書処理を実行したり、後述する手順を含むプリンタドライバモジュールを実行するためのＣＰＵ１を備え、システムバス４に接続される各デバイスをＣＰＵ１が統括的に制御する。ＲＡＭ２は、ＣＰＵ１の主メモリ、ワークエリア等として機能する。キーボードコントローラ（ＫＢＣ）５は、キーボード９や不図示のポインティングデバイスからのキー入力を制御する。ＣＲＴコントローラ（ＣＲＴＣ）６は、ＣＲＴディスプレイ１０の表示を制御する。ディスクコントローラ（ＤＫＣ）７は、ブートプログラム、種々のアプリケーション、フォントデータ、ユーザファイル、編集ファイル等を記憶するハードディスク（ＨＤ）、フロッピーディスク（ＦＤ）等の外部メモリ１１とのアクセスを制御する。プリンタコントローラ（ＰＲＴＣ）８は、所定の双方向インターフェース（双方向Ｉ／Ｆ）１０３を介してプリンタ１０２に接続されて、プリンタ１０２との通信制御処理を実行する。なお、ＣＰＵ１は、例えばＲＡＭ２上に設定された表示情報ＲＡＭヘのアウトラインフォントの展開（ラスタライズ）処理を実行し、ＣＲＴ１０上でのＷＹＳＩＷＹＧ（表示内容と印刷内容とを一致させる機能）を可能としている。また、ＣＰＵ１はＣＲＴ１０上の不図示のマウスカーソル等で指示されたコマンドに基づいて登録された種々のウィンドウを開き、種々のデータ処理を実行する。
【００１４】
プリンタ１０２において、プリンタＣＰＵ１２は、ＲＯＭ１３のプログラム用ＲＯＭに記憶された制御プログラム等に記憶された制御プログラム等に基づいてシステムバス１５に接続される各種のデバイスとのアクセスを統括的に制御し、印刷部Ｉ／Ｆ１６を介して接続される印刷部（プリンタエンジン）１７に出力情報としての画像信号を出力する。ＣＰＵ１２は双方向Ｉ／Ｆ２１を介してホストコンピュータとの通信処理が可能となっており、プリンタ内の情報等をホストコンピュータ１０１に通知可能に構成されている。ＲＡＭ１９はＣＰＵ２１の主メモリ、ワークエリア等として機能するＲＡＭである。入力部１８はホストコンピュータ１０１と双方向インターフェース１０３を介して印刷状態情報などのステータス情報などの交信を制御し、プリンタ内の情報等をホストコンピュータ３０００に通知可能に構成されている。メモリコントローラ（ＭＣ）２０は、ブートプログラム、種々のアプリケーション、フォントデータ、ユーザファイル、編集ファイル等を記憶するハードディスク（ＨＤ）、フロッピーディスク（ＦＤ）等の外部メモリ１４とのアクセスを制御する。操作部１０１２は、表示パネルやキーボードを含んでおり、オペレータへの情報の提供や、オペレータからの指示の入力を行わせる。
【００１５】
図６は、図５のＣＰＵ１により実行されるソフトウエアモジュールも構成を示すブロック図である。図６において、アプリケーション６０１、グラフィック・エンジン６０２、プリンタ・ドライバ１０４、およびシステム・スプーラ６０４は、ＣＤ-ＲＯＭやハードディスク等の外部メモリに保存されたファイルとして存在し、実行される場合にＯＳやそのモジュールを利用するモジュールによってＲＡＭ２にロードされ実行されるプログラム・モジュールである。
【００１６】
また、アプリケーション６０１およびプリンタ・ドライバ１０４は、ＦＤやＣＤ−ＲＯＭ、あるいは不図示のネットワークを経由してハードディスク等の外部メモリ１１に追加することが可能となっている。外部メモリに保存されているアプリケーション６０１はＲＡＭ２にロードされて実行されるが、このアプリケーション６０１からプリンタ１０２に対して印刷を行う際には、同様にＲＡＭにロードされ実行可能となっているグラフィック・エンジン６０２を利用して出力（描画）を行う。
【００１７】
グラフィック・エンジン６０２は印刷装置ごとに用意されたプリンタ・ドライバ１０４を同様に外部メモリからＲＡＭ２にロードし、アプリケーション６０１の出力をプリンタ・ドライバ１０４を用いてプリンタの制御コマンドに変換する。変換されたプリンタ制御コマンドはＯＳによってＲＡＭ２にロードされたシステム・スプーラ６０４を経てインタフェース１０３経由でプリンタ１０２へ出力される仕組みとなっている。プリンタドライバ１０４は、利用者が設定可能な項目に所望の値を設定させるためのユーザインターフェース（ＵＩ）部１０４ａを備えており、ＵＩ部１０４ａにより実現される画面は後述する通りである。
【００１８】
図７は、印刷システムのプリンタ１０２として適用できるインクジェット記録装置ＩＪＲＡの概観図である。同図において、リードスクリュー５００５は、駆動モータ５０１３の正逆回転に連動して、駆動力伝達ギア５０１１，５００９を介して回転する。キャリッジＨＣは、ピン（不図示）によってリードスクリュー５００５に設けられた螺旋溝５００４に係合しており、リードスクリューの回転によって矢印ａ，ｂ方向に往復移動される。このキャリッジＨＣには、インクジェットカートリッジＩＪＣが搭載されている。５００２は紙押え板であり、キャリッジの移動方向に亙って紙をプラテン５０００に対して押圧する。５００７，５００８はフォトカプラで、キャリッジのレバー５００６のこの域での存在を確認して、モータ５０１３の回転方向切り換え等を行うためのホームポジション検知手段である。５０１６は記録ヘッドの前面をキャップするキャップ部材５０２２を支持する部材で、５０１５はこのキャップ内を吸引する吸引手段で、キャップ内開口５０２３を介して記録ヘッドの吸引回復を行う。５０１７はクリーニングブレードで、５０１９はこのブレードを前後方向に移動可能にする部材であり、本体支持板５０１８にこれらが支持されている。ブレードは、この形態でなく周知のクリーニングブレードが本例に適用できる。又、５０２１は、吸引回復の吸引を開始するためのレバーで、キャリッジと係合するカム５０２０の移動に伴って移動し、駆動モータからの駆動力がクラッチ切り換え等の公知の伝達手段で移動制御される。
【００１９】
＜デバイスドライバによる制御手順＞
図２はデバイスドライバ１０４のＵＩ部１０４ａにより表示されるユーザインターフェースの設定画面の例を示している。この画面から、操作者は、余白を設けて印刷を実行する通常印刷と余白を設けること無く記録媒体の全面に印刷する全面印刷の切り換え、全面印刷時の基準点の設定を行うことが出来る。
【００２０】
図２において、操作者は、全面印刷を希望する場合には、全面印刷選択欄２０２のうち、ラジオボタン「する」を選択する。これを選択してから下段の「ＯＫ」もしくは「適用」ボタンを押すことで、全面印刷が指定された旨のフラグ（全面印刷フラグ）がセットされる。「する」が選択されていると、プリンタドライバは、アプリケーションにより作成された画像を、用紙サイズに変倍してプリンタに送信する。また、縦横比の保存選択欄２０３及び印刷データの選択欄２０４は、全面印刷選択欄２０２のうち「する」ボタンが選択されている場合に限って選択可能となる。
【００２１】
全面印刷選択欄２０２から「する」が選択されている場合には、操作者は、アプリケーションで作成した画面の縦横比を保存するか否かを選択する。縦横比の保存を希望する場合には、縦横比の保存選択欄２０３のうち、ラジオボタン「する」を選択する。これを選択してから下段の「ＯＫ」もしくは「適用」ボタンを押すことで、縦横比の保存が指定された旨のフラグ（縦横比保存フラグ）がセットされる。縦横比の保存が選択されていると、アプリケーションで作成された画像を印刷用紙のサイズに合わせて変倍する際に、画像の縦と横とが同率で変倍される。選択されていなければ、画像の縦方向を用紙の縦サイズに、画像の横方向を用紙の横サイズに合わせるように画像は変倍される。また、印刷データの選択欄２０４は、縦横比の保存選択欄２０３が「する」に指定されている場合に限って選択可能となる。
【００２２】
縦横の保存選択欄２０３から「する」が選択されている場合には、操作者は、アプリケーションで作成した画面を用紙に合わせて変倍する際に、縦横何れの辺を一致させるか選択する。縦方向を一致させること希望する場合には、印刷データの選択欄２０４のうち、ラジオボタン「長い方に合わせる」を選択する。一方、横方向を一致させること希望する場合には、印刷データの選択欄２０４のうち、ラジオボタン「短い方に合わせる」を選択する。これを選択してから下段の「ＯＫ」もしくは「適用」ボタンを押すことで、縦横いずれの辺を用紙に合わせるかを示すフラグ（基準辺フラグ）がセットされる。
【００２３】
なお、全面印刷する場合には、１ページの画像は変倍される場合が多いと考えられるが、その場合の基準点の位置が基準点設定欄２０１で設定される。本実施形態では、基準点は４つの角部のいずれかとする。図２では左上角点が基準点として選択されている。特に縦横比を保存する場合、画像の、基準点とは反対側の基準辺側には、余白やはみ出しが生じる可能性がある。例えば、図２では左上が基準点として指定されている。この場合、長辺を基準辺として縦横比を保存して全面印刷すると、基準点とは反対側の基準辺側、すなわち、右側の長辺側には、余白やはみ出しが生ずる可能性がある。したがって、基準点の角部を挟む辺においては、画像は余白が生じたりはみ出したりすることなく印刷される。したがって。ユーザは、欠落したり余白が生じたりしてはならない辺に基準点を設定すればよい。なお、基準点は角部である必要はなく、用紙上の所望の位置を設定できるようにしてもよい。
【００２４】
図３、図４は印刷システムの一連の動作を説明するフローチャートであり、図３はアプリケーションの、図４はプリンタドライバの動作手順である。これらのフローチャートを用い、本システムにおいて余白を設けること無く媒体の全面印刷を行う処理の一連の動作を説明する。
【００２５】
図３において、コンピュータ端末１０１上のアプリケーションは、デバイスドライバ１０４から記録媒体のサイズ等の情報を取得する（ステップＳ３０１）。そして、ユーザは、そのアプリケーションにおける画像や文書編集等の操作を行う、アプリケーションはその操作にしたがって印刷データを作成する（ステップＳ３０３）。
【００２６】
そこでユーザが印刷指定を行うと、アプリケーションはデバイスドライバのＵＩ部１０４ａを利用して図２に示す印刷設定画面を表示する。ユーザはその画面上で前述したように全面印刷や縦横比の保存、縦横比保存時の基準となる辺の指定などを行う（ステップＳ３０４）。その指定に従って、全面印刷フラグや縦横比保存フラグ、基準辺フラグが設定される。
【００２７】
最後に、アプリケーションはオペレーティングシステムを介するなどして印刷データをデバイスドライバに渡す（ステップＳ３０５）。
【００２８】
アプリケーションから印刷データを受けたプリンタのデバイスドライバ（プリンタドライバ）１０４は、図４の手順で動作する。図４の手順は１ページごとの処理であり、印刷ページ毎に図４の手順は繰り返される。
【００２９】
アプリケーションから１ページ分の印刷データを受信すると（ステップＳ４０２）、印刷設定をテストする。まず、全面印刷フラグをテストし、全面印刷でなければ、アプリケーションで作成されたままのサイズで印刷データを印刷装置１０２に対応する形式に変換し、送信する（ステップＳ４０９）。
【００３０】
全面印刷フラグがセットされていると、余白の設定を０にし、すなわち設定を解除し（ステップＳ４０３）、縦横比保存フラグをテストする（ステップＳ４０５）。縦横比保存フラグが設定されていなければ、アプリケーションで作成された画像の縦を印刷用紙の縦に、横を印刷用紙の横にそれぞれ合わせるように、縦横それぞれ独自の率で画像を変倍する（ステップＳ４１１）。
【００３１】
縦横比保存フラグがセットされていると、基準辺フラグをテストする（ステップＳ４０６）。基準辺フラグが長辺基準を示している場合には、アプリケーションで作成された画像の長辺の長さを印刷用紙の長辺の長さに変倍する率で、画像を縦横とも変倍する（ステップＳ４０８）。一方、基準辺フラグが短辺基準を示している場合には、アプリケーションで作成された画像の短辺の長さを印刷用紙の短辺の長さに変倍する率で、画像を縦横とも変倍する（ステップＳ４０８）。変倍は、別途指定された基準点を基準として施される。
【００３２】
最後に、設定に応じて変倍された画像を示す印刷データを、印刷装置に適した形式に変換して印刷装置に送信する。
【００３３】
尚、印刷データの縦横比が記録媒体のそれと一致する場合、長辺を基準とする。
【００３４】
以上の構成及び手順により、プリンタドライバによって、アプリケーションで作成された印刷データを、その各ページを印刷用紙のサイズに合わせて変倍し、用紙全面にわたって余白がないように印刷することができる。さらに、各ページの画像を縦横とも用紙に合わせることもできるし、縦あるいは横いずれかの辺を用紙に合わせるように辺倍率を決定し、縦横ともその倍率で変倍することで、縦横比を保存して画像を変倍することができる。
【００３５】
このため、ユーザは、用紙サイズを意識してアプリケーションで画像（文書なども含む）を作成する際に、各ページごとにサイズを用紙サイズに合わせなくとも、用紙全面の印刷が可能となる。このため、印刷する際の試行錯誤の必要がなくなり、操作性が良好になるとともに、用紙や時間を節約でき、生産性が向上する。
【００３６】
【発明の効果】
以上説明したように、本発明によれば、記録媒体のサイズに応じて画像のサイズを所望サイズに変更し、そのサイズで印刷装置から印刷させることで、操作者が意図しない印刷結果となることを防止し、操作性を改善するとともに生産性を向上させるという効果を奏する。
【図面の簡単な説明】
【図１】印刷システムの概略図である。
【図２】デバイスドライバの全面印刷設定画面の一例を示す図である。
【図３】アプリケーションの一連動作のフローチャートである。
【図４】プリンタドライバの一連動作のフローチャートである。
【図５】印刷システムのブロック図である。
【図６】ソフトウエアモジュールのブロック図である。
【図７】印刷装置の一例を示す図である。
【図１】
0004633888.tif 000002
【図２】
0004633888.tif 000003
【図３】
0004633888.tif 000004
【図４】
0004633888.tif 000005
【図５】
0004633888.tif 000006
【図６】
0004633888.tif 000007
【図７】
0004633888.tif 000008